(57)【特許請求の範囲】
【請求項１】
給水源および電磁弁を接続する一次側給水路と、貯湯式の温水器および前記電磁弁を接続する二次側給水路と、前記温水器の流出側に接続する吐出管に設けた人体検知器と、この人体検知器の検知信号に基づいて前記電磁弁の開閉制御を行なう開閉モード制御手段を設けた制御手段と、この制御手段に供給する電源とを備えた自動水栓装置において、
前記制御手段は、前記電源の投入を検出して所定の時間、前記電磁弁を開放状態にすることを特徴とする自動水栓装置。
【請求項２】
給水源および電磁弁を接続する一次側給水路と、貯湯式の温水器および前記電磁弁を接続する二次側給水路と、前記温水器の流出側に接続する吐出管に設けた人体検知器と、この人体検知器の検知信号に基づいて前記電磁弁の開閉制御を行なう開閉モード制御手段を設けた制御手段と、この制御手段に供給する電源とを備えた自動水栓装置において、
前記制御手段は、前記電源の投入を検出した後、前記温水器の満水検出まで前記電磁弁を開放状態にすることを特徴とする自動水栓装置。
【請求項３】
前記制御手段に、制御変更手段を備え、前記所定の時間、前記開閉モード制御手段の開閉モードを変更することを特徴とする請求項１または２記載の自動水栓装置。
【請求項４】
前記制御手段は、前記人体検知器からの前記検知信号を伝達するとともに、電源検出信号を前記制御手段に供給するコネクタを備え、このコネクタの接続後、前記所定の時間、もしくは前記温水器の満水検出まで前記電磁弁を開放状態にすることを特徴とする請求項１または２記載の自動水栓装置。
【請求項５】
前記電磁弁をバイパスし、前記一次側給水路と前記二次側給水路を接続するバイパス路を備え、このバイパス路の途中にバイパス弁を設けるとともに、前記給水源側の前記バイパス路の途中に排出路を接続し、この排出路の途中に排出弁を設けたことを特徴とする請求項１または２記載の自動水栓装置。
【請求項６】
前記排出弁と前記一次側給水路の前記給水源の近傍に設けた止水弁は、この止水弁が開放状態の場合には、前記排出弁を閉結状態にするとともに、前記止水弁が閉結状態の場合には、前記排出弁を開放状態にする連動動作を行なうようにしたことを特徴とする請求項５記載の自動水栓装置。
【発明の詳細な説明】
【０００１】
【産業上の利用分野】
この発明は貯湯式の温水器を給湯源とする自動水栓装置に関する。
【０００２】
【従来の技術】
実公平５―２１５６８号公報で開示されたように、従来の自動水栓装置は、給水路の開閉を行なう電磁弁、温水器、混合水を吐出する吐出管、吐出管に設けられた人体検知器（光電スイッチ）および人体検知器を遮蔽する反射板、人体検知器からの検知信号に基づいて電磁弁の開閉制御を行なうコントロールボックスを備えている。
【０００３】
自動水栓装置の設置後、温水器への最初の貯水は、吐出管に設けられた人体検知器の前方を、手、または人体検知器の近傍に設けられた反射板で、継続して遮蔽することで行なわれる。
コントロールボックスは、人体検知器からの継続した検知信号に基づき、電磁弁を開放状態に保持し、温水器に所定量の貯水を行なう。
【０００４】
また、従来の自動水栓装置において、瞬間的に人体検知器を遮蔽することで、継続して電磁弁を開放状態にし、温水器への最初の貯水が行なわれるものが知られている。
【０００５】
さらに、従来の自動水栓装置において、人体検知器の遮蔽を繰返し、一回毎に所定の時間電磁弁を開放状態にして段階的に給水し、温水器の貯水が行なわれるものが知られている。
【０００６】
このように従来の自動水栓装置は、温水器への最初の貯水が、人体検知器を遮蔽することで行なわれる。
【０００７】
【発明が解決しようとする課題】
従来の自動水栓装置は、温水器に所定量の貯水がなされた際、手または反射板での遮蔽を停止したり、もしくは再度人体検知器の検知を行なわねばならず、貯水設定の作業がわずらわしい課題がある。
【０００８】
また、従来の自動水栓装置は、温水器の貯水が所定量になるまで、手で繰返し、人体検知器を遮蔽しなくてはならず、貯水設定の作業がわずらわしい課題がある。
【０００９】
さらに、従来の自動水栓装置は、電磁弁が電気で駆動されるため、停電時には温水器の貯水ができないという課題がある。
【００１０】
この発明はこのような課題を解決するためなされたもので、その目的は装置の設置時、温水器の貯水を自動で行なうことができる利便性の高い自動水栓装置を提供することにある。
【００１１】
また、停電の場合にも、手動で貯水を行なうことのできる自動水栓装置を提供することにある。
【００１２】
【課題を解決するための手段】
前記課題を解決するためこの発明に係る自動水栓装置は、給水源および電磁弁を接続する一次側給水路と、貯湯式の温水器および電磁弁を接続する二次側給水路と、温水器の流出側に接続する吐出管に設けた人体検知器と、この人体検知器の検知信号に基づいて電磁弁の開閉制御を行なう開閉モード制御手段を設けた制御手段と、この制御手段に供給する電源とを備えた自動水栓装置において、制御手段は、電源の投入を検出して所定の時間、電磁弁を開放状態にすることを特徴とする。
【００１３】
また、この発明に係る自動水栓装置は、給水源および電磁弁を接続する一次側給水路と、貯湯式の温水器および電磁弁を接続する二次側給水路と、温水器の流出側に接続する吐出管に設けた人体検知器と、この人体検知器の検知信号に基づいて電磁弁の開閉制御を行なう開閉モード制御手段を設けた制御手段と、この制御手段に供給する電源とを備えた自動水栓装置において、制御手段は、電源の投入を検出した後、温水器の満水検出まで電磁弁を開放状態にすることを特徴とする。
【００１４】
さらに、この発明に係る自動水栓装置は、制御手段に、制御変更手段を備え、所定の時間、開閉モード制御手段の開閉モードを変更することを特徴とする。
【００１５】
また、この発明に係る自動水栓装置は、制御手段は、人体検知器からの検知信号を伝達するとともに、電源検出信号を制御手段に供給するコネクタを備え、このコネクタの接続後、所定の時間、もしくは温水器の満水検出まで電磁弁を開放状態にすることを特徴とする。
【００１６】
さらに、この発明に係る自動水栓装置は、電磁弁をバイパスし、一次側給水路と二次側給水路を接続するバイパス路を備え、バイパス路の途中にバイパス弁を設けるとともに、給水源側のバイパス路の途中に排出路を接続し、排出路の途中に排出弁を設けたことを特徴とする。
【００１７】
また、この発明に係る自動水栓装置は、排出弁と一次側給水路の給水源の近傍に設けた止水弁を、止水弁が開放状態の場合には、排出弁を閉結状態にするとともに、止水弁が閉結状態の場合には、排出弁を開放状態にする連動動作を行なうようにしたことを特徴とする。
【００１８】
【作用】
前記課題を解決するためこの発明に係る自動水栓装置は、制御手段により、電源の投入を検出して所定の時間、電磁弁を開放状態にすることができる。
【００１９】
また、この発明に係る自動水栓装置は、制御手段により、電源の投入を検出して満水検出部による温水器の満水検出まで電磁弁を開放状態にすることができる。
【００２０】
さらに、この発明に係る自動水栓装置は、制御手段に、制御変更手段を備え、所定の時間、開閉モード制御手段の開閉モードを変更するので、所定時間内では変更された開閉モードに基づいて前記電磁弁の開閉制御を行なうことができる。
【００２１】
また、この発明に係る自動水栓装置は、制御手段に、人体検知器からの検知信号を伝達するとともに、電源検出信号を制御手段に供給するコネクタを備えたので、このコネクタの接続後、所定の時間、もしくは温水器の満水検出まで電磁弁を開放状態にすることができる。
【００２２】
さらに、この発明に係る自動水栓装置は、電磁弁をバイパスし、一次側給水路と二次側給水路を接続するバイパス路を備え、バイパス路の途中にバイパス弁を設けるとともに、給水源側のバイパス路の途中に排出路を接続し、排出路の途中に排出弁を設けたので、バイパス路の一部を排出路の一部として兼用することができる。
【００２３】
また、この発明に係る自動水栓装置は、排出弁と一次側給水路の給水源の近傍に設けた止水弁を、止水弁が開放状態の場合には、排出弁を閉結状態にするとともに、止水弁が閉結状態の場合には、排出弁を開放状態にする連動動作を行なうようにしたので、止水弁の開閉操作だけで、排出弁の開閉操作を行なうことができる。
【００２４】
【実施例】
以下、この発明の実施例を添付図面に基づいて説明する。
図１はこの発明に係る自動水栓装置の全体構成図である。
図１において、自動水栓装置１は、吐出管１３に設けた人体検知器１５、人体検知器１５からの検知信号Ｓａを伝達する１６ａ、１６ｂからなるコネクタ１６、直流電源Ｖｄで駆動される制御手段１７、制御手段１７からの電磁弁駆動信号Ｄｏにより開閉制御される電磁弁７、交流電源Ｖａで加熱して湯を沸す温水器９、水と湯を混合する混合弁１１を備える。
【００２５】
また、自動水栓装置１は、止水弁３ａ、定流量弁４、チャッキ弁５、一次側給水路６、二次側給水路８、バイパス路１８、バイパス弁１９、排出路２０、排出弁３ｂを備える。
【００２６】
また、制御手段１７は、マイクロプロセッサを基本に、ＲＯＭ等のメモリ、各種演算機能、処理機能を備え、検知器１５からの検知信号Ｓａに基づいて開閉モード信号Ｓｍを出力し、リセットモード制御手段２６を介して電磁弁７の開閉制御を行なう開閉モード制御手段２５、直流電源Ｖｄの投入またはコネクタ１６の接続の際に発生する電源検出信号Ｓｃを検出して電磁弁７の開閉を制御したり、開閉モード制御手段２５のモード制御を行なうモード制御信号Ｓｈを提供するリセットモード制御手段２６を備える。
【００２７】
なお、制御手段１７には人体検知器１５からの検知信号Ｓａを受信するためのコネクタ１６ｂを内蔵する。
【００２８】
図２にこの発明に係る自動水栓装置の制御手段の要部ブロック構成図を示す。  図２において、制御手段１７は、開閉モード制御手段２５、リセットモード制御手段２６、コネクタ１６ｂを備える。
【００２９】
開閉モード制御手段２５は、３種類の開閉モードＡ、Ｂ、Ｃを選択する図示しないスライドスイッチもしくはジャンパースイッチ等の選択スイッチ、ＲＯＭ等のメモリを備え、選択スイッチでモードを選択し、予めメモリに記憶した３種類の開閉モードＡ、Ｂ、Ｃに対応する２値化された開閉モード信号Ｓｍを、リセットモード制御手段２６に提供するよう構成する。
【００３０】
例えば、開閉モード信号Ｓｍのレベルは、開閉モードＡの場合には、人体検知器１５の検知中のみＨレベル、非検知ではＬレベル、開閉モードＢの場合には、人体検知器１５の検知でＨレベルを継続し、再検知でＬレベル、また開閉モードＣの場合には、人体検知器１５の瞬間的な検知により、所定の時間（通常、洗浄に要する短い時間）だけＨレベルになる。
【００３１】
また、開閉モード制御手段２５は、直流電源Ｖｄの投入またはコネクタ１６の接続の際に出力される電源検出信号Ｓｃに基づき、後述するリセットモード制御手段２６に設けた制御変更手段３１からのモード制御信号Ｓｈを受信する。
【００３２】
リセットモード制御手段２６は、電源投入検出部２７、タイマ部２８、制御変更手段３１、論理和演算部２９、駆動部３０を備える。
【００３３】
電源投入検出部２７は、例えばコンデンサ、抵抗等の時定数回路、パルス回路等で構成し、直流電源Ｖｄの投入を検知し、開閉モード制御手段２５およびリセットモード制御手段２６に供給する直流電源Ｖｄが安定した後に、パルス状の電源投入信号Ｓｒをタイマ部２８、および制御変更手段３１に提供する。
【００３４】
また、電源投入検出部２７は、直流電源Ｖｄが安定して供給された後、コネクタ１６の接続により、直流電源Ｖｄと同一の電源検出信号Ｓｃ（例えば、Ｈレベルの信号）により駆動され、電源投入信号Ｓｒを出力する。
【００３５】
タイマ部２８は計時回路を備え、電源投入検出部２７からの電源投入信号Ｓｒにより起動し、例えばＨレベルのタイマ出力信号Ｓｔを、所定の時間、論理和演算部２９に出力する。
【００３６】
タイマ出力信号Ｓｔの時間幅は、図１に示す温水器９のタンク容量、給水圧力、定流量弁４の特性に基づき、タンクが所定量まで貯水されるように設定を行ない、大きなタンク容量、または小さな給水圧力の場合には長く、小さなタンク容量、または大きな給水圧力の場合には短くする。
【００３７】
制御変更手段３１は、例えば計時回路等を備え、電源投入検出部２７からの電源投入信号Ｓｒで起動され、所定の時間、開閉モード制御手段２５にモード制御信号Ｓｈを出力する。
【００３８】
開閉モード制御手段２５は、電源Ｖｄの投入にともない出力される制御変更手段３１からのモード制御信号Ｓｈを受信し、開閉モード信号Ｓｍを、自動的に所定の時間（例えば、５分間）、例えば開閉モードＢに制御する。
なお、開閉モードＣに強制的に制御するよう構成することもできる。
【００３９】
論理和演算部２９は、開閉モード制御手段２５からの開閉モード信号Ｓｍまたはタイマ部２８からのタイマ出力信号ＳｔがＨレベルの場合に、Ｈレベルの論理和信号Ｓｗを駆動部３０に提供する。
【００４０】
駆動部３０は、例えばトランジスタ、ＦＥＴ等のスイッチング素子で構成し、論理和演算部２９からの論理信号Ｓｗに基づいて電磁弁駆動信号Ｄｏを出力して電磁弁７を駆動し、タイマ出力信号ＳｔがＬレベルになるまで図１に示す温水器９に給水を行なう。
【００４１】
タイマ出力信号ＳｔがＬレベルになると電磁弁７は閉結状態になり、図１に示す温水器９の貯水が終了する。
貯水終了後、開閉モード制御手段２５は、人体検知器１５からの検知信号Ｓａに基づき、図示しない選択スイッチで選択された開閉モードＡ、Ｂ、Ｃのいずれか１つのモードに対応した開閉モード信号Ｓｍを論理和演算手段２９に提供する。
【００４２】
論理和演算手段２９は、開閉モード信号Ｓｍの論理和信号Ｓｗを駆動部３０に出力するとともに、駆動部３０は、電磁弁駆動信号Ｄｏにより電磁弁７の開閉制御を行なう。
【００４３】
このように、自動水栓装置１は、装置の設置時、制御手段１７が直流電源Ｖｄの投入、またはコネクタ１６の接続を検知し、所定の時間電磁弁駆動信号Ｄｏを出力し、電磁弁７を開放状態にすることができる。
【００４４】
次に、図１に基づいて自動水栓装置１の概略動作について説明する。
直流電源Ｖｄが制御手段１７に投入されると、制御手段１７は電源の投入を検出して電磁弁駆動信号Ｄｏを所定の時間発生し、電磁弁７を開放状態にする。
【００４５】
給水源２からの水は、開放状態の止水弁３ａから定流量弁４、チャッキ弁５を介し、一次側給水路６、電磁弁７、二次側給水路８ａ、８ｂ、８ｃと流れ、温水器９に所定量の貯水を行なう。
温水器９に貯水された水は、交流電源Ｖａにより電気加熱されて湯になる。
【００４６】
自動水栓装置１は、手で人体検知器１５を遮蔽すると、制御手段１７は、人体検知器１５の検知信号Ｓａに基づき、開閉モードＡ、Ｂ、Ｃに対応した電磁弁駆動信号Ｄｏを出力する。
電磁弁７は、電磁弁駆動信号Ｄｏで駆動されて開放状態になり、一次側給水路６からの水は、二次側給水路８を介して温水器９、混合弁１１に流入する。
【００４７】
温水器９の湯は、給湯路１０を介して混合弁１１に流入し、二次側給水路８ｄからの水と混合され、混合水路１２を介して吐出口１４から吐出する。
【００４８】
停電時には、電磁弁７が閉結状態のために、一次側給水路６と二次側給水路８は遮断される。
停電時の貯水は、排出弁３ｂを閉結状態にしたまま、バイパス弁１９を開放状態にし、水をバイパス路１８ａ、１８ｂ、バイパス弁１９、バイパス路１８ｃ、二次側給水路８ｃ、温水器９と給水することで行なう。
【００４９】
温水器９の水抜きは、止水弁３ａを閉結状態にし、バイパス弁１９および排出弁３ｂを開放状態にして行なう。
温水器９の水は、排出路と兼用した二次側給水路８ｃ、バイパス路１８ｃ、バイパス弁１９、バイパス路１８ｂ、排出路２０、排出弁３ｂを通り、排出する。
【００５０】
止水弁３ａ、排出弁３ｂは、例えば水の圧力で弁の開閉制御を行なうダイヤフラム式の構造にして１つの止水／排出弁３として構成する。
【００５１】
ダイヤフラム式の止水／排出弁３は、止水弁３ａの二次側の水の圧力で排出弁３ｂの排出を制御し、止水弁３ａが開放状態の場合には、排出弁３ｂを閉結状態にし、止水弁３ａが閉結状態の場合には、排出弁３ｂを開放状態にする連動動作を行なうように構成する。
【００５２】
図３にこの発明に係る自動水栓装置の制御手段の別実施例要部ブロック構成図を示す。
以下、図３の説明を図１を参照して行なう。
図３において、制御手段３２は、リセットモード制御手段３３がタイマ部２８の代りに満水検出部３４を備え、直流電源Ｖｄの投入、またはコネクタ１６の接続後、満水検出部３４による温水器９の満水検出まで電磁弁７を開放状態にする点が、図２に示す制御手段１７と異なる。
【００５３】
満水検出部３４は、例えばフリップフロップ回路等を備え、電源投入検出部２７からの電源投入信号Ｓｒで起動され、Ｈレベルの満水出力信号Ｓｆを、論理和演算部２９に出力し、温水器９の満水を検出する図示しないセンサからの満水検出信号が入力されると、Ｌレベルの満水出力信号Ｓｆを出力する。
【００５４】
論理和演算部２９は、開閉モード制御手段２５からの開閉モード信号Ｓｍ、または満水検出部３４からの満水出力信号ＳｆがＨレベルの場合に、Ｈレベルの論理和信号Ｓｗを駆動部３０に提供する。
【００５５】
駆動部３０は、論理和演算部２９からの論理信号Ｓｗが、例えばＨレベルの場合には、電磁弁駆動信号Ｄｏを出力して電磁弁７を駆動し、満水出力信号ＳｆがＬレベルになるまで温水器９に給水を行なう。
【００５６】
満水出力信号ＳｆがＬレベルになると電磁弁７は閉結状態になり、温水器９の貯水が終了する。
【００５７】
図４にこの発明に係る自動水栓装置の別実施例要部構成図を示す。
（ａ）図において、図１に示す自動水栓装置１との違いは、バイパス弁１９をバイパス路１８ａの途中に設けた点で、バイパス弁１９を操作しないで、温水器９の水を排出することができる。
【００５８】
（ｂ）図において、図１に示す自動水栓装置１との違いは、バイパス弁１９および排出弁３ｂの代りに、例えばシングルレバーユニット、ワンストップユニット等で構成したユニット弁３５を設けた点で、バイパス弁１９、排出弁３ｂの開閉操作を１度で行なうことができる。
【００５９】
例えば、ユニット弁３５のレバー３５ａが実線の位置の場合には、給水源２からの水は、バイパス路１８ａ、ユニット弁３５、バイパス路１８ｃとバイパスさて給水を行なう。
また、レバー３５ａが破線の位置の場合には、止水弁３ａを閉結状態にし、温水器９の水を、バイパス路１８ｃ、ユニット弁３５、排出路２０を通じて排出する。
【００６０】
（ｃ）図において、図１に示す自動水栓装置１との違いは、排出弁３ｂの代りに、チャッキ弁３６を設けた点である。
チャッキ弁３６は、止水弁３ａが開放状態の場合には、一次側給水路６、バイパス路１８ａ、排出路２０を通じて水圧がかかるため閉結状態を保つ。
【００６１】
温水器９の水を排出する場合には、止水弁３ａを閉結状態にして、チャッキ弁３６にかかる水圧を弱める。
水圧が弱まると、チャッキ弁３６は開放状態になり、温水器９の水は、バイパス路１８ｃ、開放状態にしたバイパス弁１９、バイパス路１８ｂ、排出路２０、チャッキ弁３６を通じて排出する。
【００６２】
このように、自動水栓装置１は、装置の設置時、温水器９の貯水を自動で行なうことができ、また停電の場合にも、手動で貯水を行なうことができる。
【００６３】
【発明の効果】
以上説明したように、この発明に係る自動水栓装置は、制御手段により、電源の投入を検出して所定の時間、電磁弁を開放状態にすることができるので、装置の設置時、自動的に温水器の貯水を行なうことができる。
【００６４】
また、この発明に係る自動水栓装置は、制御手段により、電源の投入を検出して満水検出部による温水器の満水検出まで電磁弁を開放状態にすることができるので、装置の設置時、自動的に温水器の貯水を行なうことができる。
【００６５】
さらに、この発明に係る自動水栓装置は、制御手段に、制御変更手段を備え、所定の時間、開閉モード制御手段の開閉モードを変更し、所定時間内では変更された開閉モードに基づいて前記電磁弁の開閉制御を行なうことができるので、装置の設置時、手動ながらも容易に温水器の貯水を行なうことができる。
【００６６】
また、この発明に係る自動水栓装置は、制御手段に、人体検知器からの検知信号を伝達するとともに、電源検出信号を制御手段に供給するコネクタを備え、このコネクタの接続後、所定の時間、もしくは満水検出部による温水器の満水検出まで電磁弁を開放状態にすることができるので、装置の設置時、自動的に温水器の貯水を行なうことができる。
【００６７】
さらに、この発明に係る自動水栓装置は、電磁弁をバイパスし、一次側給水路と二次側給水路を接続するバイパス路を備え、バイパス路の途中にバイパス弁を設けるとともに、給水源側のバイパス路の途中に排出路を接続し、排出路の途中に排出弁を設け、バイパス路の一部を排出路の一部として兼用することができるので、停電時にも温水器の貯水を行なうことができるとともに、配管の低コスト化が図れる。
【００６８】
また、この発明に係る自動水栓装置は、排出弁と一次側給水路の給水源の近傍に設けた止水弁を、止水弁が開放状態の場合には、排出弁を閉結状態にするとともに、止水弁が閉結状態の場合には、排出弁を開放状態にする連動動作を行なうようにしたので、止水弁の開閉操作だけで、排出弁の開閉操作を行なうことができ、止水弁、排出弁の開閉操作ミスを低減することができる。
【００６９】
よって、装置の設置時、温水器の貯水を自動で行なうことのできる利便性の高い自動水栓装置を提供することができる。
【図面の簡単な説明】
【図１】この発明に係る自動水栓装置の全体構成図
【図２】この発明に係る自動水栓装置の制御手段の要部ブロック構成図
【図３】この発明に係る自動水栓装置の制御手段の別実施例要部ブロック構成図
【図４】この発明に係る自動水栓装置の別実施例要部構成図
【符号の説明】
１…自動水栓装置、２…給水源、３…止水／排出弁、４…定流量弁、５，３６…チャッキ弁、６…一次側給水路、７…電磁弁、８…二次側給水路、９…温水器、１０…給湯路、１１…混合弁、１２…混合水路、１３…吐出管、１４…吐出口、１５…人体検知器、１６…コネクタ、１７，３２…制御手段、１８…バイパス路、１９…バイパス弁、２０…排出路、２５…開閉モード制御手段、２６，３３…リセットモード制御手段、２７…電源投入検出部、２８…タイマ部、２９…論理和演算部、３０…駆動部、３１…制御変更手段、３４…満水検出部、３５…ユニット弁、３ａ…止水弁、３ｂ…排出弁、８ａ，８ｂ，８ｃ…一次側給水路、１６ａ，１６ｂ…コネクタ、１８ａ，１８ｂ，１８ｃ，１８ｄ…二次側給水路、３５ａ…レバー、Ｖａ…交流電源、Ｖｄ…直流電源、Ｓａ…検知信号、Ｄｏ…電磁弁駆動信号、Ｓｍ…開閉モード信号、Ｓｃ…電源検出信号、Ｓｒ…電源投入信号、Ｓｔ…タイマ出力信号、Ｓｆ…満水出力信号、Ｓｈ…モード制御信号、Ｓｗ…論理和信号、Ｄｏ…電磁弁駆動信号。
【図１】
0003567530.tif 000002
【図２】
0003567530.tif 000003
【図３】
0003567530.tif 000004
【図４】
0003567530.tif 000005